(57)【要約】【課題】導電端子と芯との間に接触不良の状態が発生することがないインターネット用ケーブルを提供する。【解決手段】本体と、芯と、複数の桿状の端子と、配線パッドと、導線パッドとを含んでなり、本体が上端面に形成された弾性片と、下端面に設けられた端子の電気接触部を外部に露出して設けるための第一溝とを含み、芯が本体内部に位置し、上方表面に端子を収納するための第二溝を設け、第二溝が芯前端に端子を係合する係合口を具えてなり、複数の桿状の端子が端子の中間が上向きに凸出し、その表面に電気接続部が形成され、前端面の芯上の係合口に合わせてフックが設けられ、配線パッドが芯の後部と貫通し、前端面に芯を穿設する位置決め孔が設けられ、突起に対向する一面に端子の数量に対応して位置決め孔に貫通した溝が設けられ、導線パッドが配線パッドの後部に接続する。【選択図】  図２
2011040242.tif 000002
【特許請求の範囲】
【請求項１】
本体と、芯と、複数の桿状の端子と、配線パッドと、導線パッドとを含んでなり、
該本体は、上端面に設けられた弾性片と、下端面に設けられた端子の電気接触部を外部に露出して設けるために供する第一溝と、を含んでなり、
該芯は、本体内部に位置し、上方表面に端子を収納するために供する第二溝を儲け、該第二溝が芯の前端の位置に端子を係合する係合口を具えてなり、
該複数の桿状の端子は、端子の桿体の中間が上向きに凸出し、凸出した部分の表面には電気接続部が形成され、前端面が芯上の係合口に合わせてフックが設けられ、
該配線パッドは、芯の後部と貫通し、前端面には芯を穿設するために供する位置決め孔が設けられ、突起に対向する一面には、端子の数量に対応して溝が設けられ、溝と位置決め孔とが貫通し、
該導線パッドは、配線パッドの後部に接続し、配線パッドとともに芯を位置決めし、固定する構造からなることを特徴とするインターネット用ケーブル。
【請求項２】
前記芯の第二溝の上方の係合口と端子上のフックが、いずれも逆三角形に形成されることを特徴とする請求項１に記載のインターネット用ケーブル。
【請求項３】
前記端子が、桿体の後部に三つの直立した角錐状の突起を具えてなり、該三つの突起が垂直な投影面上にＶ字状の芯挟持フレームを形成することを特徴とする請求項1に記載のインターネット用ケーブル。
【請求項４】
前記突起が、芯に対向する内側面が弧状面に形成され、芯内の導体と面で接触することを特徴とする請求項３に記載のインター用ケーブル。
【請求項５】
前記端子の桿体の後端が、端子の桿体の中部に対して９０度ねじれた状態に形成され、ねじれ部を設けてなることを特徴とする請求項４に記載のインターネット用ケーブル。
【請求項６】
前記端子が、前端に切断可能なベルト上に接続されることを特徴とする請求項１から５に記載のインターネット用ケーブル。
【請求項７】
前記芯が、後端に配線パッドを収納するために供する空間が設けられ、該空間の両側の内側面上にはそれぞれ位置決め溝と係合ピンが設けられ、配線パッドを下から下に向けて芯上に装着し、配線パッドの前端を位置決め溝内に挿入し、配線パッドの両側の上端面がそれぞれ芯上の係合ピンで固定されることを特徴とする請求項６に記載のインターネット用ケーブル。
【請求項８】
前記導線パッドが、一つの表面上に少なくとも二つ以上の芯を設けるために供し、芯を配線パッドにガイドする大溝を設けてなり、導線パッドの両側にそれぞれ接続部を設け、配線パッドの両側にそれぞれ後方に延伸した接続ピンを設け、配線パッドを銅線パッドの前端に組み合わせると、配線パッド両側の接続ピンがそれぞれ導線パッド両側の接続部に係合されることを特徴とする請求項７に記載のインターネット用ケーブル。
【請求項９】
前記芯が、両側に外側に凸出した係合ピンを設けてなり、本体が両側にそれぞれに係合溝と、ガイド溝とを設けてなり、該芯を本体内部に組み合わせる場合、芯両側の係合ピンがそれぞれ本体両側のガイド溝に位置決めされ、芯両側の係合ピンがそれぞれ本体両側の係合溝に係合して接続することを特徴とする請求項８に記載のインターネット用ケーブル。
【請求項１０】
前記クリスタルヘッドが外ケースを含んでなり、該外ケースが本体の外側を被服するように設けられ、外ケースの上端面の前端両側にそれぞれ内側に向けて延伸したフックを具えてなり、本体上端面の前端両側の対応する位置に凹部を設けてなり、外ケースを本体の外側を被覆するように設けた後、外ケースの前端両側のフックをそれぞれ本体前端両側の凹部に係合するように設けることを特徴とする請求項９に記載のインターネット用ケーブル。
【発明の詳細な説明】
【技術分野】
【０００１】
この発明は、インターネット用ケーブルに関し、特にインターネットに接続する場合に使用するインターネット用ケーブルに関する。
【背景技術】
【０００２】
高い伝送速度を具えたインターネット用ケーブルは、構造が通常のインターネットケーブルとは異なる。
【０００３】
中華人民共和国の特許登録番号ＣＮ２８００５３８Ｙは、高い伝送速度の挿入ヘッド（インターネットケーブルのクリスタルヘッド）を示したものである。
【０００４】
該挿入ヘッドの外ケースは二段に分けて形成される。
【０００５】
挿入ヘッドの外ケースの前方部は溝を利用して直接、一列のコードを挿入する。溝の位置を利用して第六類の通信基準の性能を具えることができる。
【０００６】
挿入ヘッドの外ケースの後方部は被覆されたインターネットケーブルを収納して、第六類の通信基準の性能を維持することができる。
【０００７】
挿入ヘッドの外ケースは、前方・後方部の二段に分かれた部分を接続すると、導電端子が接触して、外カバーの前方部の前端の情報から下方に挿入して、ケーブルの絶縁外層に垂直に差し込まれて内部の金属芯と電気的に接続する。
【０００８】
挿入ヘッドの外ケースの後方部は後方の固定ブロックがケーブルを固定する。
【０００９】
挿入ヘッドは高速で伝送する性能を具えているが、一定期間使用すると、温度や湿度など様々な要素の影響を受けて変形し、挿入ヘッドと母座とが接触不良の状態になる。
【００１０】
甚だしくは、挿入ヘッドの外ケースが変形すると、上端面が上向きに跳ね上がり、導電端子の導電端も一定の状態に跳ね上がって導電端子全体が一定の距離上昇する。
【００１１】
上述の状態になると、導電端子と芯内の導体との間に接触不良の状態か、或いは接触できない状態が発生して挿入ヘッドが正常に使用できなくなり、新しい挿入ヘッドに変更しなければならない。
【先行技術文献】
【特許文献】
【００１２】
【特許文献１】中華人民共和国の特許登録番号ＣＮ２８００５３８Ｙ
【発明の概要】
【発明が解決しようとする課題】
【００１３】
この発明は、導電端子と芯との間に接触不良の状態が発生することがないインターネット用ケーブルを提供することを課題とする。
【課題を解決するための手段】
【００１４】
そこで、本発明者は従来の技術に見られる欠点に鑑みて鋭意研究を重ねた結果、本体と、芯と、複数の桿状の端子と、配線パッドと、導線パッドとを含んでなり、
該本体は、上端面に設けられた弾性片と、下端面に設けられた端子の電気接触部を外部に露出して設けるために供する第一溝と、を含んでなり、
該芯は、本体内部に位置し、上方表面に端子を収納するために供する第二溝を儲け、該第二溝が芯の前端の位置に端子を係合する係合口を具えてなり、
該複数の桿状の端子は、端子の桿体の中間が上向きに凸出し、凸出した部分の表面には電気接続部が形成され、前端面が芯上の係合口に合わせてフックが設けられ、
該配線パッドは、芯の後部と貫通し、前端面には芯を穿設するために供する位置決め孔が設けられ、突起に対向する一面には、端子の数量に対応して溝が設けられ、溝と位置決め孔とが貫通し、
該導線パッドは、配線パッドの後部に接続し、配線パッドとともに芯を位置決めし、固定する構造からなるインターネット用ケーブルによって課題を解決できる点に着眼し、かかる知見に基づいて本発明を完成させた。
【００１５】
以下、この発明について具体的に説明する。
請求項１に記載のインターネット用ケーブルは、本体と、芯と、複数の桿状の端子と、配線パッドと、導線パッドとを含んでなり、
該本体は、上端面に設けられた弾性片と、下端面に設けられた端子の電気接触部を外部に露出して設けるために供する第一溝と、を含んでなり、
該芯は、本体内部に位置し、上方表面に端子を収納するために供する第二溝を儲け、該第二溝が芯の前端の位置に端子を係合する係合口を具えてなり、
該複数の桿状の端子は、端子の桿体の中間が上向きに凸出し、凸出した部分の表面には電気接続部が形成され、前端面が芯上の係合口に合わせてフックが設けられ、
該配線パッドは、芯の後部と貫通し、前端面には芯を穿設するために供する位置決め孔が設けられ、突起に対向する一面には、端子の数量に対応して溝が設けられ、溝と位置決め孔とが貫通し、
該導線パッドは、配線パッドの後部に接続し、配線パッドとともに芯を位置決めし、固定する構造からなる。
【００１６】
請求項２に記載のインターネット用ケーブルは、請求項１における芯の第二溝の上方の係合口と端子上のフックが、いずれも逆三角形に形成される。
【００１７】
請求項３に記載のインターネット用ケーブルは、請求項１における端子が、桿体の後部に三つの直立した角錐状の突起を具えてなり、該三つの突起が垂直な投影面上にＶ字状の芯挟持フレームを形成する。
【００１８】
請求項４に記載のインターネット用ケーブルは、請求項３における突起が、芯に対向する内側面が弧状面に形成され、芯内の導体と面で接触する。
【００１９】
請求項５に記載のインターネット用ケーブルは、請求項４における端子の桿体の後端が、端子の桿体の中部に対して９０度ねじれた状態に形成され、ねじれ部を設けてなる。
【００２０】
請求項６に記載のインターネット用ケーブルは、請求項１から５における端子が、前端に切断可能なベルト上に接続される。
【００２１】
請求項７に記載のインターネット用ケーブルは、請求項６における芯が、後端に配線パッドを収納するために供する空間が設けられ、該空間の両側の内側面上にはそれぞれ位置決め溝と係合ピンが設けられ、配線パッドを下から下に向けて芯上に装着し、配線パッドの前端を位置決め溝内に挿入し、配線パッドの両側の上端面がそれぞれ芯上の係合ピンで固定される。
【００２２】
請求項８に記載のインターネット用ケーブルは、請求項７における導線パッドが、一つの表面上に少なくとも二つ以上の芯を設けるために供し、芯を配線パッドにガイドする大溝を設けてなり、導線パッドの両側にそれぞれ接続部を設け、配線パッドの両側にそれぞれ後方に延伸した接続ピンを設け、配線パッドを銅線パッドの前端に組み合わせると、配線パッド両側の接続ピンがそれぞれ導線パッド両側の接続部に係合される。
【００２３】
請求項９に記載のインターネット用ケーブルは、請求項８における芯が、両側に外側に凸出した係合ピンを設けてなり、本体が両側にそれぞれに係合溝と、ガイド溝とを設けてなり、該芯を本体内部に組み合わせる場合、芯両側の係合ピンがそれぞれ本体両側のガイド溝に位置決めされ、芯両側の係合ピンがそれぞれ本体両側の係合溝に係合して接続する。
【００２４】
請求項１０に記載のインターネット用ケーブルは、請求項９におけるクリスタルヘッドが外ケースを含んでなり、該外ケースが本体の外側を被服するように設けられ、外ケースの上端面の前端両側にそれぞれ内側に向けて延伸したフックを具えてなり、本体上端面の前端両側の対応する位置に凹部を設けてなり、外ケースを本体の外側を被覆するように設けた後、外ケースの前端両側のフックをそれぞれ本体前端両側の凹部に係合するように設ける。
【発明の効果】
【００２５】
この発明によるインターネット用ケーブルは、端子が反り返る、変形することがなく、端子と芯とが接触不良の状態が発生し難く、使用寿命を延長するという効果を有する。
【図面の簡単な説明】
【００２６】
【図１】この発明のインターネット用ケーブルを示した斜視図である。
【図２】この発明のインターネット用ケーブルを示した分解図である。
【図３】この発明のインターネット用ケーブルのクリスタルヘッドの本体を示した斜視図である。
【図４】この発明のインターネット用ケーブルのベルトに接続する端子を示した斜視図である。
【図５】図４に開示する端子を芯に組み合わせた状態を示した斜視図である。
【図６】図５に開示する状態を正面から見た状態を示した平面図である。
【図７】図５に開示する状態を後方から見た状態を示した平面図である。
【図８】この発明のインターネット用ケーブルの配線パッドを示した斜視図である。
【図９】この発明のインターネット用ケーブルの配線パッドと導線パッドとを組み合わせた状態を示した斜視図である。
【図１０】図９を正面から見た状態を示した平面図である。
【図１１】図９を後方から見た状態を示した平面図である。
【図１２】図９を上方から見た状態を示した平面図である。
【図１３】図９を下方から見た状態を示した平面図である。
【図１４】この発明のインターネット用ケーブルの導線パッドと配線パッドと、端子の芯とを組み合わせた状態を示した斜視図である。
【図１５】図１４を正面から見た状態を示した平面図である。
【図１６】この発明のインターネット用ケーブルの導線パッドと、配線パッドと、芯とを本体内で組み合わせた状態を示した斜視図である。
【発明を実施するための形態】
【００２７】
この発明は、導電端子と芯との間に接触不良の状態が発生することがないインターネット用ケーブルであって、本体と、芯と、複数の桿状の端子と、配線パッドと、導線パッドとを含んでなり、
該本体は、上端面に設けられた弾性片と、下端面に設けられた端子の電気接触部を外部に露出して設けるために供する第一溝と、を含んでなり、
該芯は、本体内部に位置し、上方表面に端子を収納するために供する第二溝を儲け、該第二溝が芯の前端の位置に端子を係合する係合口を具えてなり、
該複数の桿状の端子は、端子の桿体の中間が上向きに凸出し、凸出した部分の表面には電気接続部が形成され、前端面が芯上の係合口に合わせてフックが設けられ、
該配線パッドは、芯の後部と貫通し、前端面には芯を穿設するために供する位置決め孔が設けられ、突起に対向する一面には、端子の数量に対応して溝が設けられ、溝と位置決め孔とが貫通し、
該導線パッドは、配線パッドの後部に接続し、配線パッドとともに芯を位置決めし、固定する構造からなるインターネット用ケーブルの構造と特徴を詳述するために具体的な実施例を挙げ、図示を参照にして以下に説明する。
【実施例】
【００２８】
図１から図１６は、インターネットケーブルのクリスタルヘッドを示したものである。
【００２９】
該クリスタルヘッドは、本体１と、芯２と、導線パッド３と、配線パッド１０とを含んでなる。
【００３０】
該本体１は、上端面に弾性片４を設けてなり、下端面には端子５の電気接触部を外部に露出して設けるために供する第一溝６を設ける。
【００３１】
該芯２と、配線パッド１０と、導線パッド３は、いずれも本体１の内部に設けられる。
【００３２】
該芯２は、上方表面に端子５を収納するために供する第二溝７を設け、前端面の第二溝７上にはフック状の係合口８が設けられる。
【００３３】
該端子５は“幾”字状に形成され、芯２上の第二溝７の内部に設けられる。
【００３４】
該端子５は、前端の桿体が端子５の桿体の中間に対して垂直に形成される。端子５の前端の桿体上には芯２上の係合口８の形状に対応するフック９が設けられる。端子５の桿体の中間の上面は電気接触部が形成される。
【００３５】
該端子５を芯２上に組み合わせた後、端子５上のフック９を芯２の前端面の第二溝７上の係合口８の内部に係合して接続する。
【００３６】
端子５の前端の桿体が引っ張られて芯２上に緊密に設けられるため、端子５の中間の桿体が反り返る現象が発生することを防ぐことができる。
【００３７】
端子５が跳ね上がることもなく、端子５が変形することを防ぐことができる。
【００３８】
よって、端子５と芯内部の導体が接触不良の状態になることを有効に防ぐことができるとともに、芯２の変形を制限し、インターネットケーブルのクリスタルヘッドと母座とが接触する場合に接触不良の状態が発生することを防ぐ。
【００３９】
よって、クリスタルヘッドの質量を高め、インターネットケーブルのクリスタルヘッドの使用寿命を延長することができる。
【００４０】
この発明の実施形態では係合口８とフック９の形状がいずれも逆三角形に形成され、構造が簡単で、端子５を引っ張り、芯２上に緊密に設けることができる。
【００４１】
該係合口８とフック９の形状はその他の形状でもよく、円形、楕円形、方形、多辺形、梯子形、或いは不規則な形など端子５の前端を引っ張れば芯上に緊密に設けることができる目的を達成できればよい。
【００４２】
導線パッド３の表面には芯線を設けて、芯線を配線パッド１０までガイドする三つの大溝１９が設けられる。
【００４３】
該大溝１９を通して予め芯線を三つの段落に分けることができ、芯線を排列するために便利であるとともに、それぞれの芯線を配線パッド１０の適宜な位置に穿設、或いは押し圧して挿入するために便利である。
【００４４】
インターネットケーブルのクリスタルヘッドは、芯線を位置決めするために供する配線パッド１０を設けてなる。
【００４５】
芯２は後方端縁部に配線パッド１０を設けるために供する空間１１が設けられる。
【００４６】
第二溝７は、空間１１の内部に延伸する。端子５の後端の桿体は、空間１１内の第二溝７の内部に設けられる。該端子５の後端の桿体上には直立した角錐状で棘状の突起１２が設けられる。
【００４７】
該導線パッド３は両側にそれぞれ接続部２０が設けられる。配線パッド１０の両側にはそれぞれ後方に向けて延伸した接続ピン２１が設けられる。
【００４８】
配線パッド１０を導線パッド３の前端に組み合わせる場合、配線パッド１０の両側の接続ピン２１をそれぞれ導線パッド３両側の接続部２０に係合して接続すると、配線パッド１の端縁部が導線パッド３の前端縁部に係合接続する。
【００４９】
導線パッド３と配線パッド１０とを係合接続して固定すると、導線パッド３と配線パッド１０とがいずれも芯線を好ましい状態に位置決めして、芯線が固定される。
【００５０】
芯２の空間１１の二つの内側面上にはそれぞれ位置決め溝１７と係合ピン１８が設けられる。配線パッド１０を下方から下に向けて芯２上に設けると、配線パッド１０の前端が位置決め溝１７内に設けられる。
【００５１】
配線パッド１０の両側の上端面にはそれぞれ芯２上の係合ピン１８に係合されて、配線パッド１０の頭部から芯の空間１１内に係合接続される。
【００５２】
配線パッド１０上には芯線を穿設するために供する位置決め孔１３が設けられる。
【００５３】
配線パッド１０の突起１２に対向する一面にはそれぞれの端子５一つ一つに対応する溝１４が設けられる。
【００５４】
該溝１４はそれぞれ対応する位置決め孔１３に貫通し、隣接する位置決め孔１３の間にはしきり板が設けられず、隣接する位置決め孔１３との間がつながっている。
【００５５】
よって、芯線を配線パッド１０の内部に挿入し易く、芯線を排列し、位置決めすることが便利である。
【００５６】
もちろん、隣接する位置決め孔１３の間にしきり板を設けてもよく、各位置決め孔１３をそれぞれ独立して形成し、隣接する位置決め孔１３の間がつながっていなくても芯線を排列、位置決めすることができる。
【００５７】
配線パッド１０上の位置決め孔１３と溝１４はそれぞれ八個設けられる。
【００５８】
該八個の位置決め孔１３は横向きに一列に排列する。八個の溝１４はそれぞれ、対応する位置決め孔１３と貫通する。
【００５９】
インターネットケーブルのクリスタルヘッドを組み合わせる場合、芯線を対応する位置決め孔の内部に設ける。
【００６０】
配線パッド１０を芯２上に組み合わせる場合、配線パッド１０上の溝１４を突起１２方向に向けて、突起１２を配線パッド１０上の対応する溝１４内に挿入する。
【００６１】
配線パッド１０を芯２の空間１１内に押し圧して挿入した後、突起１２を位置決め孔１３内に挿入して位置決め孔１３内の芯に差し込まれ、棘状の突起１２を介して端子５と芯とが電気的に接続する。
【００６２】
端子５と芯の電気的な接続は、差し込み接続することによって目的を達成する。また、差し込む場合、配線パッド１０を芯２の空間内に押し圧して挿入すればよく、差し込むための加工を便利ですばやくすることができる。
【００６３】
また、配線パッド１０は比較的大きな施工面を具え、配線パッドを介して施工するために非常に便利である。
【００６４】
人の手で圧力を加えて、配線パッド１０を芯２の空間１１に押し圧挿入し、芯２上の突起１２が配線パッド１０内の芯に差し込まれる。
【００６５】
差し込み加工は専門の挟持部材、或いは工具を必要とすることがなく、専門的な作業員が組み合わせる必要もない。
【００６６】
インターネットケーブルのクリスタルヘッドの組み合わせは、非常に簡単で便利で、人の手だけあれば組み合わせることができる。
【００６７】
端子５の前端は折り曲げられたベルト１５上に接続する。
【００６８】
各端子５はベルト１５により固定されるため、端子５を芯２の第二溝７内に組み合わせる場合、端子５を順々に第二溝内に設ける必要がない。
【００６９】
この発明は一度で八個の端子５を第二溝７内に設けことができるため、端子５の組み合わせ作業が非常に便利ですばやく実施することができる。
【００７０】
ベルト１５は切断できるため、端子５を組み合わせた後、或いは芯２を本体１内に組み合わせる前にベルト１５を切断すればよい。ベルト１５の切断にも専用の挟持部材、或いは工具を必要とすることがなく、手で切断することができるため、組み合わせ作業が非常に便利ですばやく実施することができる。
【００７１】
この発明は消費者に本体１と、芯２と、配線パッド１０と、導線パッド３と、ベルト１５に接続する端子５とを供する。
【００７２】
上述の各部材はいずれも組み合わされていない。
【００７３】
組み合わせてインターネットケーブルのクリスタルヘッドを形成する各部材はいずれも非常に簡単で、インターネットケーブルのクリスタルヘッドは消費者自信で組み合わせることができる。
【００７４】
組み合わせの過程において、挟持部材、或いは工具などを必要とすることがなく、組み合わせ作業は手作業で実施することができる。
【００７５】
また、組み合わせは便利ですばやく実施することができる。
【００７６】
よって、この発明は“ＤＩＹ”（Ｄｏ  Ｉｔ  Ｙｏｕｒｓｅｌｆ）製品の一種とすることができる。
【００７７】
端子５の後端の桿体上には突起１２が設けられる。該突起１２は角錐体で、三つの突起１２が垂直の投影面上にＶ字状の芯挟持フレームを形成する。
【００７８】
該突起１２は強度が強く、芯に差し込む場合にも強靭な力を具えてるため、突起１２が歪む、斜めになり難く、湾曲、或いは切断され難い。
【００７９】
突起１２が芯内の導体を挟持する力も非常に大きい。
【００８０】
特に、差し込み加工を実施すると、芯内の導体が三つの突起１２で挟持されて押し圧され、突起１２が芯の深くに差し込まれる。
【００８１】
芯内の導体は、挟持されるとＶ字状の芯挟持フレームの底部に隣接する。
【００８２】
突起１２の横断面席が非常に大きく、導体を挟持力が非常に大きいため、突起１２が芯の深くに差し込まれる。
【００８３】
突起１２は芯内の導体を挟持する状態が次第に緊密になるため、導体が外れることがない。
【００８４】
芯内の導体と端子５が緊密に接触することを確実にするとともに、電気的な接続も非常に確実になる。
【００８５】
また、突起１２の内側面は弧状の面に形成されるため、突起１２が芯と芯内の導体に接触する場合、突起１２と導体の間が曲面と曲面の間の接触になる。
【００８６】
即ち、突起１２と芯内の導体との接触は面接触になる。また、突起１２と芯内の導体の間の接触面が三つになる。
【００８７】
突起１２と芯内の導体の間の接触面の大きさは突起１２と芯内の導体の間の電気抵抗を大幅に低減し、インターネットケーブルのクリスタルヘッドのデータの送受信、高周波の特性など様々な性能を高めることができる。
【００８８】
また、特に突起１２を芯に差し込む深さが深くなり、突起１２と芯内の導体との接触面積が次第に大きくなる。
【００８９】
さらに、突起１２と芯内の導体との間の電気抵抗が小さくなり、インターネットケーブルのクリスタルヘッドの性能を高めることができる。
【００９０】
端子５の後端の桿体上には、ねじれ部１６が設けられる。
【００９１】
該ねじれ部１６は突起１２の前端に位置して形成される。
【００９２】
該端子５の後端の桿体は端子５の中間の桿体に対して９０度ねじれた状態に形成される。
【００９３】
よって、端子５の強度が高められるとともに、端子５の生産をさらに容易にすることができる。
【００９４】
芯２の両側には外側に向けて凸出した係合ピン２２が設けられる。本体１の両側にはそれぞれ係合溝２３とガイド溝２４とが設けられる。
【００９５】
芯２を本体１の内部に組み合わせる場合、芯２の両側の係合ピン２２をそれぞれ本体１両側のガイド溝２４に位置決めする。
【００９６】
芯２の両側の係合ピン２２をそれぞれ本体１両側の係合溝２３に係合して組み合わせる。
【００９７】
クリスタルヘッドは、外ケース２５を含んでなる。
【００９８】
該外ケース２５は、本体１の外側を被覆するように設けられる。
【００９９】
該外ケース２５は、上端面の前端両側にそれぞれ内側に向けて延伸したフック２６を設ける。本体１は上端面の前端両側の対応する位置にそれぞれ凹部２７を設ける。
【０１００】
外ケース２５を本体１の外側に被覆して設けた後、外ケース２５の前端の両側のフック２６がそれぞれ本体１前端両側の凹部２７に係合して接続される。
【０１０１】
配線パッド１０によれば、配線パッド１０上には他の構造で排列、位置決めされた芯を設けてなるとともに、突起１２を芯内の貫通した空間に差し込むために供する。
【０１０２】
例えば、配線パッド１０上に芯を設けるために供する溝が設けられる。
【０１０３】
該溝は八個形成される。該八個の溝は、横向きに一列に排列する。
【０１０４】
インターネットケーブルのクリスタルヘッドを組み合わせる場合、芯を対応する溝内に設ける。
【０１０５】
配線パッド１０を芯２上に組み合わせる場合、配線パッド１０上の溝の開口を突起１２に向けて設けることができる。
【０１０６】
突起１２を配線パッド上に対応する溝の内部に挿入する。
【０１０７】
配線パッド１０は芯２の空間１１内に押しされると、突起１２が溝内の芯に差し込まれる。
【０１０８】
差し込み式の突起１２は、端子５と芯との電気的な接続の目的を達成することができる。２
【０１０９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【符号の説明】
【０１１０】
１    本体
１０  配線パッド
１１  空間
１２  突起
１３  位置決め孔
１４  溝
１６  ねじれ部
１７  位置決め溝
１８  係合ピン
１９  大溝
２    芯
２０  接続部
２１  接続ピン
２２  係合ピン
２３  係合溝
２４  ガイド溝
２５  外ケース
２６  フック
２７  凹部
３    導線パッド
４    弾性片
５    端子
６    第一溝
７    第二溝
８    係合口
９    フック
【図１】
2011040242.tif 000003
【図２】
2011040242.tif 000004
【図３】
2011040242.tif 000005
【図４】
2011040242.tif 000006
【図５】
2011040242.tif 000007
【図６】
2011040242.tif 000008
【図７】
2011040242.tif 000009
【図８】
2011040242.tif 000010
【図９】
2011040242.tif 000011
【図１０】
2011040242.tif 000012
【図１１】
2011040242.tif 000013
【図１２】
2011040242.tif 000014
【図１３】
2011040242.tif 000015
【図１４】
2011040242.tif 000016
【図１５】
2011040242.tif 000017
【図１６】
2011040242.tif 000018